(57)【要約】【課題】収納貨幣の過不足発生時点を容易かつ精度高く特定することができる金銭処理装置および金銭処理装置の在高管理方法を提供すること。【解決手段】入金された貨幣を取り込んで収納庫に振分収納し、ＰＯＳレジスタ装置ＰＲからの指示によって前記収納庫から収納貨幣を放出して入出金情報６１として保持するとともに、前記収納庫間で貨幣の入出が可能な精査庫を用いて収納貨幣を再計数する精査を行うことができる金銭処理装置としての自動釣銭機であって、前記収納貨幣の過不足発生に関する所定の人為的接触操作が発生したか否かを判断する人為的接触操作判断部５２と、前記所定の人為的接触操作が発生した場合、該所定の人為的接触操作が発生した時点で現在の収納貨幣を精査し、精査時刻および精査結果を精査情報として記憶部６０に精査情報６２として保持させる精査制御部５３と、を備える。【選択図】図６
2015156141.tif 000002
【特許請求の範囲】
【請求項１】
入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置であって、
前記収納貨幣の過不足発生に関する所定の人為的接触操作が発生したか否かを判断する人為的接触操作判断部と、
前記所定の人為的接触操作が発生した場合、該所定の人為的接触操作が発生した時点で現在の収納貨幣を精査し、精査時刻および精査結果を精査情報として記憶部に保持させる精査制御部と、
を備えたことを特徴とする金銭処理装置。
【請求項２】
前記所定の人為的接触操作は、前記収納庫が設けられ装置本体から引き出し可能な収納ユニットの引き出し開閉操作、前記収納庫を開閉する収納庫扉の開閉操作、前記収納ユニットあるいは前記収納庫扉に対する鍵開閉操作、および装置に対する電源オフ操作のうちの少なくとも１以上の組み合わせであることを特徴とする請求項１に記載の金銭処理装置。
【請求項３】
前記精査制御部は、精査時刻および精査結果とともに、前記所定の人為的接触操作を精査情報として記憶部に保持させることを特徴とする請求項１または２に記載の金銭処理装置。
【請求項４】
前記所定の人為的接触操作の操作対象および前記所定の人為的接触操作に基づく精査制御対象は設定変更可能であることを特徴とする請求項１〜３のいずれか一つに記載の金銭処理装置。
【請求項５】
直前の入出金情報または精査情報に基づいた在高と現在の精査情報に基づいた在高とを比較して精査結果に収納貨幣の過不足がある場合に報知する報知部を備えたことを特徴とする請求項１〜４のいずれか一つに記載の金銭処理装置。
【請求項６】
入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置の在高管理方法であって、
前記収納貨幣の過不足発生に関する所定の人為的接触操作が発生したか否かを判断する人為的接触操作判断ステップと、
前記所定の人為的接触操作が発生した場合、該所定の人為的接触操作が発生した時点で現在の収納貨幣を精査し、精査時刻および精査結果を精査情報として記憶部に保持させる精査制御ステップと、
を含むことを特徴とする金銭処理装置の在高管理方法。
【発明の詳細な説明】
【技術分野】
【０００１】
この発明は、収納貨幣の過不足発生時点を容易かつ精度高く特定することができる金銭処理装置および金銭処理装置の在高管理方法に関する。
【背景技術】
【０００２】
昨今のスーパーマーケットやコンビニエンスストア等の店舗には、客さばきや現金管理の厳正化のため、自動釣銭機として金銭処理装置が設置されている。この金銭処理装置は、通常、ＰＯＳレジスタ（Ｐｏｉｎｔ Ｏｆ Ｓａｌｅｓ）装置等の上位装置に接続されており、上位装置からの指令に応じて硬貨や紙幣等の金銭の入出金処理を行うものである。
【０００３】
具体的には、特許文献１，２に記載されるように、上位装置から入金許可指令が与えられた後に投入口から金銭が投入されると、金銭処理装置では、金銭搬送通路を通じてこれらの金銭が装置本体の内部に取り込まれ、真贋及び金種が鑑別される。正規の貨幣であった場合には、金種毎に収納庫に収納されるとともに、上位装置に対して入金額情報が送信される。
【０００４】
一方、上位装置から出金指令が与えられると、収納庫に収納されている金銭から該当する金額の貨幣が金銭搬送通路を通じて搬出され、装置本体の出金口から外部に払い出されることになる。
【０００５】
ところで、上述した金銭処理装置では、各処理部や貨幣が装置筐体内に施錠された状態で格納され、装置のオペレータが直接貨幣に触れないようにしている。しかし、装置の清掃時や詰まりの発生時に装置内部を開放する必要がある。このため、貨幣を収容する収容庫に対して鍵を付ける装置がある。
【０００６】
また、装置内部の収納庫に収納された貨幣を再計数する精査機能を有する金銭処理装置もある。この金銭処理装置では、精査機能を用いて、詰まり発生後における故意または過失による現金過不足を自ら検出し、在高更新できるようにしている。
【先行技術文献】
【特許文献】
【０００７】
【特許文献１】特開２０１３−２５６１５号公報
【特許文献２】特開２０１１−６０２２０号公報
【発明の概要】
【発明が解決しようとする課題】
【０００８】
しかしながら、従来の金銭処理装置による精査実施は、装置開設時や装置の中間点検時に行うのみであり、それ以外の時点で複数回の装置内部開放が存在すると、現金過不足発生の時点を推測する時間幅が大きくなり、現金過不足発生の時点以前のいつの時点で発生したのかを推測することが難しくなり、現金過不足発生の時点特定の精度が低くならざるを得なかった。
【０００９】
この発明は、上記に鑑みてなされたものであって、収納貨幣の過不足発生時点を容易かつ精度高く特定することができる金銭処理装置および金銭処理装置の在高管理方法を提供することを目的とする。
【課題を解決するための手段】
【００１０】
上述した課題を解決し、目的を達成するために、この発明にかかる金銭処理装置は、入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置であって、前記収納貨幣の過不足発生に関する所定の人為的接触操作が発生したか否かを判断する人為的接触操作判断部と、前記所定の人為的接触操作が発生した場合、該所定の人為的接触操作が発生した時点で現在の収納貨幣を精査し、精査時刻および精査結果を精査情報として記憶部に保持させる精査制御部と、を備えたことを特徴とする。
【００１１】
また、この発明にかかる金銭処理装置は、上記の発明において、前記所定の人為的接触操作は、前記収納庫が設けられ装置本体から引き出し可能な収納ユニットの引き出し開閉操作、前記収納庫を開閉する収納庫扉の開閉操作、前記収納ユニットあるいは前記収納庫扉に対する鍵開閉操作、および装置に対する電源オフ操作のうちの少なくとも１以上の組み合わせであることを特徴とする。
【００１２】
また、この発明にかかる金銭処理装置は、上記の発明において、前記精査制御部は、精査時刻および精査結果とともに、前記所定の人為的接触操作を精査情報として記憶部に保持させることを特徴とする。
【００１３】
また、この発明にかかる金銭処理装置は、上記の発明において、前記所定の人為的接触操作の操作対象および前記所定の人為的接触操作に基づく精査制御対象は設定変更可能であることを特徴とする。
【００１４】
また、この発明にかかる金銭処理装置は、上記の発明において、直前の入出金情報または精査情報に基づいた在高と現在の精査情報に基づいた在高とを比較して精査結果に収納貨幣の過不足がある場合に報知する報知部を備えたことを特徴とする。
【００１５】
また、この発明にかかる金銭処理装置の在高管理方法は、入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置の在高管理方法であって、前記収納貨幣の過不足発生に関する所定の人為的接触操作が発生したか否かを判断する人為的接触操作判断ステップと、前記所定の人為的接触操作が発生した場合、該所定の人為的接触操作が発生した時点で現在の収納貨幣を精査し、精査時刻および精査結果を精査情報として記憶部に保持させる精査制御ステップと、を含むことを特徴とする。
【発明の効果】
【００１６】
この発明によれば、精査制御部が、収納貨幣の過不足発生に関する所定の人為的接触操作が発生した場合、該所定の人為的接触操作が発生した時点で現在の収納貨幣を精査し、精査時刻および精査結果を精査情報として記憶部に保持させるようにしている。この結果、収納貨幣の過不足発生時点を容易かつ精度高く特定することができる。
【図面の簡単な説明】
【００１７】
【図１】図１は、本発明の実施の形態である金銭処理装置の外観を示す斜視図である。
【図２−１】図２−１は、図１に示した金銭処理装置の硬貨収納ユニットを引き出した状態を示す斜視図である。
【図２−２】図２−２は、図２−１に示した状態からさらに硬貨収納庫を開放した状態を示す要部斜視図である。
【図３−１】図３−１は、図１に示した金銭処理装置の紙幣収納ユニットを引き出した状態を示す斜視図である。
【図３−２】図３−２は、図３−１に示した状態からさらに紙幣収納庫を開放した状態を示す要部斜視図である。
【図４】図４は、図１に示した金銭処理装置の内部構成を概念的に示す平面図である。
【図５】図５は、図１に示した金銭処理装置の内部構成を概念的に示す側面図である。
【図６】図６は、図１に示した金銭処理装置の制御系を示すブロック図である。
【図７】図７は、図６に示した入出金制御部が繰り返し実施する入金処理及び出金処理である釣銭モード処理手順を示すフローチャートである。
【図８】図８は、図６に示した精査制御部による精査制御処理手順を示すフローチャートである。
【図９】図９は、設定精査情報の１つである人為的接触操作の操作対象の設定内容の一例を示す図である。
【図１０】図１０は、設定精査情報の１つである人為的接触操作に基づく精査制御対象の設定内容の一例を示す図である。
【発明を実施するための形態】
【００１８】
以下、添付図面を参照してこの発明を実施するための形態について説明する。
【００１９】
（自動釣銭機の構造）
図１〜図５は、本発明の実施の形態である金銭処理装置を示したものである。ここで例示する金銭処理装置は、スーパーマーケットやコンビニエンスストア等の店舗においてＰＯＳレジスタ装置ＰＲに接続される自動釣銭機として用いられるものである。この金銭処理装置は、直方体状を成す装置本体１の前端部に硬貨投入口１１、硬貨出金口１２、紙幣投入口２１、紙幣出金口２２を備えている。
【００２０】
硬貨投入口１１は、投入された硬貨を装置本体１の内部に受け入れるための開口であり、装置本体１の上面に形成してある。硬貨投入口１１に投入された硬貨は、図示せぬ投入検出センサによって検出された後、図４に示すように、硬貨収納ユニット１０の硬貨搬送機構１３の振分搬送機構１３ａによって搬送される。振分搬送機構１３ａによって搬送される硬貨は、硬貨鑑別センサ１４によって鑑別された後、金種に応じて硬貨収納庫１５に収納されることになる。本実施の形態では、装置本体１の内部に１円硬貨収納庫１５ａ、５０円硬貨収納庫１５ｂ、５円硬貨収納庫１５ｃ、１００円硬貨収納庫１５ｄ、１０円硬貨収納庫１５ｅ、５００円硬貨収納庫１５ｆが設けてあり、投入された硬貨を金種ごとに個別に収納するようにしている。精査庫１５ｇは、各硬貨収納庫１５ａ〜１５ｆに収納された硬貨を一旦空にして各硬貨収納庫１５ａ〜１５ｆの収納個数を再計数するための一時収納庫である。硬貨出金口１２は、それぞれの硬貨収納庫１５から出金搬送機構１３ｂを介して搬出された硬貨を装置本体１の外部に払い出すための開口であり、装置本体１の前面に形成してある。なお、受け皿１７は、硬貨出金口１２から払い出された硬貨を受け入れる。また、判別部１９は、出金あるいは精査される硬貨の金種を判別する。
【００２１】
紙幣投入口２１は、投入された紙幣を装置本体１の内部に受け入れるための開口であり、装置本体１の前面上部に設けてある。紙幣投入口２１に投入された紙幣は、図示せぬ投入検出センサによって検出された後、図５に示すように、紙幣収納ユニット２０の紙幣搬送機構２３によって搬送される。搬送される紙幣は、紙幣鑑別センサ２４によって鑑別された後、金種に応じて紙幣収納庫２５内の１０００円紙幣収納庫２５ｂ、混合紙幣収納庫２５ｃに収納されることになる。混合紙幣収納庫２５ｃは、１０００円紙幣以外の紙幣を収納する。例えば、１００００円紙幣や５０００円紙幣を混合して収納する。本実施の形態では、装置本体１の内部に精査庫２５ａを設けている。精査庫２５ａは、紙幣収納庫２５ｂ、２５ｃに収納された紙幣を一旦空にして各紙幣収納庫２５ｂ、２５ｃの収納枚数を再計数するための一時収納庫である。紙幣出金口２２は、紙幣収納庫２５ｂ、２５ｃから搬出された紙幣を装置本体１の外部に払い出すための開口であり、装置本体１の前面下部に設けてある。なお、判別部２９は、出金あるいは精査される紙幣の金種を判別する。
【００２２】
図２−１に示すように、硬貨収納ユニット１０は、硬貨搬送機構１３及び硬貨収納庫１５のすべてが装置本体１に対して手前側に引き出し可能に構成してある。この硬貨収納ユニット１０の引き出しは、装置本体１の前面に設けられた錠１８に鍵１８ａを差し込んで開錠することによって可能となる。さらに、図２−２に示すように、硬貨収納ユニット１０が引き出された状態で内部の収納庫扉１６を開けることによって硬貨搬送機構１３及び硬貨収納庫１５を外部から操作することが可能である。すなわち、硬貨収納庫１５内の収納硬貨の出し入れが可能となる。
【００２３】
同様に、図３−１に示すように、紙幣収納ユニット２０に関しても、装置本体１の前面に設けられた錠２８に鍵２８ａを差し込んで開錠することによって、紙幣搬送機構２３及び紙幣収納庫２５のすべてが装置本体１に対して手前側に引き出し可能となる。さらに図３−２に示すように、紙幣収納ユニット２０が引き出された状態から収納庫扉２６を開けることによって紙幣搬送機構２３及び紙幣収納庫２５を外部から操作することが可能となる。すなわち、紙幣収納庫２５内の収納紙幣の出し入れが可能となる。
【００２４】
図４及び図５に示すように、硬貨収納ユニット１０及び紙幣収納ユニット２０には、収納庫扉１６、２６の開閉状態を検出するための開閉センサ２ａ及び装置本体１に対して硬貨収納ユニット１０及び紙幣収納ユニット２０が引き出されているか否かを検出するための引き出しセンサ２ｂが設けてある。
【００２５】
また、装置本体１の前方部には、表示部３０及び操作部４０が設けてある。表示部３０は、操作者に対して各種表示を行うためのもので、例えば液晶表示器によって構成してある。操作部４０は、操作者が各種指令を入力するためのもので、例えば複数の押ボタンスイッチによって構成してある。
【００２６】
（自動釣銭機の制御系）
図６は、上述した自動釣銭機の制御系を示すブロック図である。図６に示す制御部５０は、操作部４０を通じて指令が与えられた場合、あるいは硬貨鑑別センサ１４、紙幣鑑別センサ２４、開閉センサ２ａ、引き出しセンサ２ｂ、鍵検出センサ７０、もしくは電源検出部７１から検出信号が与えられた場合、さらには上位装置であるＰＯＳレジスタ装置ＰＲから各種指令が与えられた場合、記憶部６０に格納したプログラムや初期データに基づいて表示部３０の表示制御、硬貨搬送機構１３の駆動制御、紙幣搬送機構２３の駆動制御を行うものである。なお、鍵検出センサ７０は、錠１８、２８の開閉状態を検出するものである。また、電源検出部７１は、自動釣銭機に供給される電源のオンオフを検出するものである。制御部５０は、入出金制御部５１、人為的接触操作判断部５２、精査制御部５３、および報知部５４を有する。
【００２７】
入出金制御部５１は、ＰＯＳレジスタ装置ＰＲから入力許可指令が与えられた後に貨幣が投入された場合に、入金許可指令に従って貨幣の入金処理を行い、かつＰＯＳレジスタ装置ＰＲから出金指令が与えられた場合に、出金指令に従って貨幣の出金処理を行うものである。また、入出金制御部５１は、これらの入金処理及び出金処理を実行している間、実施した入金処理及び出金処理の内容を入出金情報６１として逐次記憶部６０に格納する処理も行う。
【００２８】
人為的接触操作判断部５２は、自動釣銭機内の収納貨幣の過不足発生に関する所定の人為的接触操作が行われたか否かを判断する。具体的に、人為的接触操作判断部５２は、開閉センサ２ａが収納庫扉１６、２６の開閉操作を検出した場合、引き出しセンサ２ｂが硬貨収納ユニット１０または紙幣収納ユニット２０の引き出し開閉操作を検出した場合、鍵検出センサ７０が硬貨収納ユニット１０または紙幣収納ユニット２０に対する鍵開閉操作を検出した場合、または電源検出部７１が電源オフ操作を検出した場合に、所定の人為的接触操作が行われたものと判断する。なお、引き出しセンサ２ｂは、装置本体１に対して硬貨収納ユニット１０もしくは紙幣収納ユニット２０が継続して３秒以上引き出された場合に、引き出し開閉操作があったものと判断するようにしている。
【００２９】
精査制御部５３は、人為的接触操作判断部５２が、所定の人為的接触操作が行われたと判断された場合、この判断後、精査可能な状態となったとき、精査処理を行う。この精査処理は、現在の在高を確認するために貨幣を装置本体１の外部に払い出すことなくその内部で貨幣を適宜搬送して総額を計数する処理である。すなわち、精査制御部５３は、各硬貨収納庫１５ａ〜１５ｆあるいは各紙幣収納庫２５ｂ、２５ｃにそれぞれ格納されている硬貨あるいは紙幣を、判別部１９、２９を介して精査庫１５ｇあるいは精査庫２５ａに搬送して硬貨個数あるいは紙幣枚数を再計数する。精査制御部５３は、精査時刻、精査結果、および所定の人為的接触操作を精査情報６２として記憶部６０に格納する処理を行う。精査結果には、収納貨幣の過不足有無と、過不足があった場合の過不足内容とを含む。この過不足の有無は、直前の入出金情報または精査情報に基づいた在高と現在の精査情報に基づいた在高とを比較して判断される。
【００３０】
報知部５４は、精査制御部５３が、収納貨幣の過不足があったと判断処理した場合、ＰＯＳレジスタ装置ＰＲに精査情報６２を出力する報知を行う。また、必要に応じて、自動釣銭機の図示しない警報ブザーなどを鳴動させる報知手段を用いて、外部に報知する。
【００３１】
（釣銭モード処理）
図７は、図６に示した制御部５０の入出金制御部５１が繰り返し実施する入金処理及び出金処理である釣銭モード処理手順を示すフローチャートである。図７に示すように、入出金制御部５１は、ＰＯＳレジスタ装置ＰＲからの入金許可指令を監視する（ステップＳ１０１）。ＰＯＳレジスタ装置ＰＲから入金許可指令が与えられなかった場合（ステップＳ１０１，Ｎｏ）、入出金制御部５１は、ステップＳ１０９に移行する。
【００３２】
一方、ＰＯＳレジスタ装置ＰＲから入金許可指令が与えられた場合（ステップＳ１０１，Ｙｅｓ）、入出金制御部５１は、自動釣銭機を入金許可状態に設定し（ステップＳ１０２）、その後、図示せぬ投入検出センサを通じて硬貨投入口１１及び紙幣投入口２１に対する入金を監視する（ステップＳ１０３）。
【００３３】
硬貨投入口１１もしくは紙幣投入口２１からの入金を確認した場合（ステップＳ１０３，Ｙｅｓ）、入出金制御部５１は、硬貨鑑別センサ１４もしくは紙幣鑑別センサ２４を介して投入された貨幣の鑑別を行い、該鑑別結果に従って、対応する硬貨収納庫１５、紙幣収納庫２５に貨幣を搬送する処理を行う（ステップＳ１０４）。なお、入金を検出しなかった場合（ステップＳ１０３，Ｎｏ）、入出金制御部５１は、そのままステップＳ１０５に移行する。
【００３４】
その後、入出金制御部５１は、ＰＯＳレジスタ装置ＰＲからの入金額要求があるか否かを監視し（ステップＳ１０５）、入金額要求があった場合（ステップＳ１０５，Ｙｅｓ）、現在の入金額に関する情報をＰＯＳレジスタ装置ＰＲに送信する処理を行う（ステップＳ１０６）。なお、入金額要求がなかった場合（ステップＳ１０５，Ｎｏ）、入出金制御部５１は、そのままステップＳ１０７に移行する。
【００３５】
その後、入出金制御部５１は、ＰＯＳレジスタ装置ＰＲから入金終了指令があったか否かを判断し（ステップＳ１０７）、入金終了指令がなかった場合（ステップＳ１０７，Ｎｏ）、手順をステップＳ１０３に移行して上述したステップＳ１０３〜Ｓ１０７の処理を繰り返す。
【００３６】
一方、ＰＯＳレジスタ装置ＰＲから入金終了指令があった場合（ステップＳ１０７，Ｙｅｓ）、入出金制御部５１は、自動釣銭機を入金禁止状態に設定し（ステップＳ１０８）、その後、ＰＯＳレジスタ装置ＰＲから出金指令があるか否かを監視する（ステップＳ１０９）。
【００３７】
ＰＯＳレジスタ装置ＰＲから出金指令が与えられた場合（ステップＳ１０９，Ｙｅｓ）、入出金制御部５１は、硬貨収納庫１５や紙幣収納庫２５に収納された貨幣を釣銭として硬貨出金口１２もしくは紙幣出金口２２から払い出す処理を実施し（ステップＳ１１０）、今回の釣銭モード処理を終了する。なお、ＰＯＳレジスタ装置ＰＲから出金指令が与えられなかった場合（ステップＳ１０９，Ｎｏ）、入出金制御部５１は、そのまま今回の釣銭モード処理を終了する。
【００３８】
上述した状況は、例えば、ＰＯＳレジスタ装置ＰＲにおいて操作者（レジ担当者）による購入商品の登録が終了し、その合計金額以上の貨幣を商品購入者から預かった操作者がこれを自動釣銭機に投入した場面であり、購入商品の登録が終了した後にＰＯＳレジスタ装置ＰＲから自動釣銭機の制御部５０に対して入金許可指令が与えられる。一方、貨幣が投入された自動釣銭機からＰＯＳレジスタ装置ＰＲに入金額情報が送信されると、ＰＯＳレジスタ装置ＰＲにおいて（釣銭）＝（入金額）−（購入合計金額）が算出され、釣銭がある場合には釣銭に対応した出金指令が入金終了指令の後に自動釣銭機に出力される。出金指令が与えられた自動釣銭機では、釣銭に相当する貨幣が硬貨出金口１２もしくは紙幣出金口２２から払い出され、ＰＯＳレジスタ装置ＰＲから出力されたレシートとともにこの釣銭が商品購入者に手渡される。
【００３９】
以降、上述した釣銭モード処理が繰り返し実施され、金銭処理装置が自動釣銭機として機能することになる。この間、自動釣銭機においては、入出金制御部５１により、実施した入金処理及び出金処理の内容が入出金情報６１として逐次、記憶部６０に格納する処理が行われる。
【００４０】
（精査制御処理）
図８は、精査制御部５３による精査制御処理手順を示すフローチャートである。図８に示すように、まず、精査制御部５３は、人為的接触操作判断部５２の判断結果をもとに、硬貨収納ユニット１０または紙幣収納ユニット２０が引き出された（引き出し開閉があった）か否かを判断する（ステップＳ２０１）。
【００４１】
硬貨収納ユニット１０または紙幣収納ユニット２０が引き出された場合（ステップＳ２０１，Ｙｅｓ）、精査制御部５３は、硬貨収納ユニット１０または紙幣収納ユニット２０の引き出しが収納されたときに、硬貨収納庫１５ａ〜１５ｆまたは紙幣収納庫２５ｂ、２５ｃの収納貨幣の精査処理を行う（ステップＳ２０５）。その後、精査制御部５３は、精査時刻、精査結果、および所定の人為的接触操作である硬貨収納ユニット１０または紙幣収納ユニット２０の引き出し操作を、精査情報６２として記憶部６０に記憶する処理を行う（ステップＳ２０６）。そして、今回の精査制御処理を終了する。
【００４２】
一方、硬貨収納ユニット１０または紙幣収納ユニット２０が引き出されていない場合（ステップＳ２０１，Ｎｏ）、さらに、精査制御部５３は、人為的接触操作判断部５２の判断結果をもとに、収納庫扉１６、２６が開閉操作されたか否かを判断する（ステップＳ２０２）。
【００４３】
収納庫扉１６、２６が開閉操作された場合（ステップＳ２０２，Ｙｅｓ）、精査制御部５３は、少なくとも収納庫扉１６、２６が閉となって精査可能状態となったときに、硬貨収納庫１５ａ〜１５ｆまたは紙幣収納庫２５ｂ、２５ｃの収納貨幣の精査処理を行う（ステップＳ２０５）。その後、精査制御部５３は、精査時刻、精査結果、および所定の人為的接触操作である収納庫扉１６、２６が開閉操作を、精査情報６２として記憶部６０に記憶する処理を行う（ステップＳ２０６）。そして、今回の精査制御処理を終了する。
【００４４】
一方、収納庫扉１６、２６が開閉操作されていない場合（ステップＳ２０２，Ｎｏ）、さらに、精査制御部５３は、人為的接触操作判断部５２の判断結果をもとに、鍵開閉操作があったか否かを判断する（ステップＳ２０３）。
【００４５】
鍵開閉操作があった場合（ステップＳ２０３，Ｙｅｓ）、精査制御部５３は、精査可能状態となったときに、硬貨収納庫１５ａ〜１５ｆまたは紙幣収納庫２５ｂ、２５ｃの収納貨幣の精査処理を行う（ステップＳ２０５）。その後、精査制御部５３は、精査時刻、精査結果、および所定の人為的接触操作である鍵開閉操作を、精査情報６２として記憶部６０に記憶する処理を行う（ステップＳ２０６）。そして、今回の精査制御処理を終了する。
【００４６】
一方、鍵開閉操作がなかった場合（ステップＳ２０３，Ｎｏ）、さらに、精査制御部５３は、人為的接触操作判断部５２の判断結果をもとに、電源オフ操作があったか否かを判断する（ステップＳ２０４）。
【００４７】
電源オフ操作があった場合（ステップＳ２０４，Ｙｅｓ）、精査制御部５３は、電源オフされる前に、硬貨収納庫１５ａ〜１５ｆまたは紙幣収納庫２５ｂ、２５ｃの収納貨幣の精査処理を行う（ステップＳ２０５）。その後、精査制御部５３は、精査時刻、精査結果、および所定の人為的接触操作である電源オフ操作を、精査情報６２として記憶部６０に記憶する処理を行う（ステップＳ２０６）。そして、今回の精査制御処理を終了する。なお、電源オフ操作がなかった場合（ステップＳ２０４，Ｎｏ）には、そのまま今回の精査制御処理を終了する。そして、上述した処理を繰り返す。
【００４８】
なお、人為的接触操作として電源オフ操作を加えたのは、電源オフが自動釣銭機の稼働状態の終わりの時点であって、電源オフから電源オンまでの時間が長くなることが予想されるからである。
【００４９】
また、硬貨収納ユニット１０または紙幣収納ユニット２０の引き出し操作や鍵開閉操作は、直接的に収納貨幣の過不足を生じさせるものではないが、収納貨幣の過不足が生じる可能性が高い操作であるため、これらの操作を人為的接触操作としている。
【００５０】
さらに、硬貨収納ユニット１０または紙幣収納ユニット２０の引き出し開閉操作と収納庫扉１６、２６の開閉操作とを同時に検出する場合、硬貨収納ユニット１０または紙幣収納ユニット２０の引き出し開閉操作があっても、この引き出し開閉操作間に、収納庫扉１６、２６の開閉操作がない場合、精査制御部５３は、精査処理を行わないようにしてもよい。
【００５１】
また、硬貨収納ユニット１０または紙幣収納ユニット２０の引き出し開閉操作と収納庫扉１６、２６の開閉操作とは、いずれか一方のみを人為的接触操作としてもよい。
【００５２】
さらに、収納庫扉１６、２６に鍵がかけられる場合には、この収納庫扉１６、２６の鍵開閉操作を人為的接触操作とすることが好ましい。
【００５３】
なお、図９に示すように、人為的接触操作の対象は、所定の人為的接触操作の対象の全体あるいは個別に設定変更可能である。この設定情報は、図６に示した精査設定情報６３として記憶部６０に保持される。図９に示した設定では、○印を設定状態として示し、×印を非設定状態として示している。図９では、硬貨収納ユニット１０の収納庫扉１６の開閉操作および電源オフ操作、紙幣収納ユニット２０の収納庫扉２６の開閉操作および電源オフ操作が設定状態となっている。
【００５４】
また、図１０に示すように、人為的接触操作の発生場所に対する精査制御対象は設定変更可能である。例えば、図１０では、硬貨収納ユニット１０側の人為的接触操作が発生した場合、硬貨収納ユニット１０および紙幣収納ユニット２０の全体に対する精査処理と、硬貨収納ユニット１０のみに対する精査処理とを選択設定できるようになっている。図１０では、硬貨収納ユニット１０側に人為的接触操作が発生した場合には、硬貨収納ユニット１０のみに対する精査処理を行い、紙幣収納ユニット２０側に人為的接触操作が発生した場合には、紙幣収納ユニット２０のみに対する精査処理を行うように設定されている。なお、これらの設定変更は、表示部３０に表示された設定画面を参照して、操作部４０によって行われる。
【００５５】
なお、上述した鍵開閉操作は、シリンダーキーなどの機械的キーの開閉操作であったが、これに限らず、例えば、電子キーであってもよいし、操作部４０からの特殊操作入力によって鍵を開閉してもよい。電子キーの場合、非接触操作となるが、人為的に電子的な接触操作をものであり、人為的接触操作と同様な操作であるため、電子キーを用いた場合であっても、任意的接触操作に含めて処理を行う。
【符号の説明】
【００５６】
１  装置本体
２ｂ  引き出しセンサ
２ａ  開閉センサ
１０  硬貨収納ユニット
１１  硬貨投入口
１２  硬貨出金口
１３  硬貨搬送機構
１４  硬貨鑑別センサ
１５  硬貨収納庫
１５ｇ，２５ａ  精査庫
１６，２６  収納庫扉
１７  受け皿
１８，２８  錠
１８ａ，２８ａ  鍵
１９，２９  判別部
２０  紙幣収納ユニット
２１  紙幣投入口
２２  紙幣出金口
２３  紙幣搬送機構
２４  紙幣鑑別センサ
２５  紙幣収納庫
３０  表示部
４０  操作部
５０  制御部
５１  入出金制御部
５２  人為的接触操作判断部
５３  精査制御部
５４  報知部
６０  記憶部
６１  入出金情報
６２  精査情報
６３  精査設定情報
７０  鍵検出センサ
７１  電源検出部
ＰＲ  ＰＯＳレジスタ装置
【図１】
2015156141.tif 000003
【図２−１】
2015156141.tif 000004
【図２−２】
2015156141.tif 000005
【図３−１】
2015156141.tif 000006
【図３−２】
2015156141.tif 000007
【図４】
2015156141.tif 000008
【図５】
2015156141.tif 000009
【図６】
2015156141.tif 000010
【図７】
2015156141.tif 000011
【図８】
2015156141.tif 000012
【図９】
2015156141.tif 000013
【図１０】
2015156141.tif 000014